(57)【要約】【課題】本発明は、フレキシブル配線基板の発光部品を搭載する部分の幅を小さくすることを目的とする。【解決手段】延長部４４は、屈曲部４６を有し、本体部４０との接続部との対向位置からずれて部品搭載部４８に接続する。複数の発光部品３４は、部品搭載部４８に搭載され、部品搭載部４８の長さに沿った方向に一列で並ぶ。複数の配線５４は、延長部４４から部品搭載部４８に引き出されて、部品搭載部４８の長さに沿った第１方向Ｄ１に延びる第１グループの配線５６と、延長部４４から第１方向Ｄ１とは反対の第２方向Ｄ２に延びる第２グループの配線６０と、を含む。複数の発光部品３４は、部品搭載部４８の第１方向Ｄ１の側に配置された第１グループの発光部品５０と、部品搭載部４８の第２方向Ｄ２の側に配置された第１グループの発光部品５０の個数と同じ個数の第２グループの発光部品５２と、を含む。【選択図】図３
2013097087.tif 000002
【特許請求の範囲】
【請求項１】
液晶表示パネルと、
複数の発光部品及び導光板を含むバックライトと、
前記液晶表示パネルに取り付けられて前記複数の発光部品が搭載されたフレキシブル配線基板と、
を有し、
前記フレキシブル配線基板は、基板と、前記基板の一方の面に並列するように形成された複数の配線と、を含み、
前記基板は、前記液晶表示パネルに端部が取り付けられて前記液晶表示パネルから離れる方向に延びる本体部と、前記本体部から前記端部とは反対方向に延びる延長部と、前記延長部から間隔をあけて並んで前記本体部から前記端部とは反対方向に延びるコネクタ部と、前記延長部に接続される部品搭載部と、を含み、
前記延長部は屈曲部を介して前記部品搭載部に接続し、
前記部品搭載部は、前記延長部との接続部から前記液晶表示パネルの幅方向に沿った左右の両方向に延びる長さと、前記長さに直交する方向の幅を有し、
前記複数の発光部品は、前記部品搭載部に搭載され、前記部品搭載部の前記長さに沿った方向に一列で並び、
前記配線は、前記延長部及び前記部品搭載部を通るように形成されて前記発光部品に電気的に接続され、
前記配線は、前記延長部から前記部品搭載部に引き出されて、前記部品搭載部の前記長さに沿った第１方向に延びる第１グループの配線と、前記延長部から前記第１方向とは反対の第２方向に延びる第２グループの配線と、を含み、
前記複数の発光部品は、前記部品搭載部の前記第１方向の側に配置された第１グループの発光部品と、前記部品搭載部の前記第２方向の側に配置された前記第１グループの発光部品の個数と同じ個数の第２グループの発光部品と、を含み、
前記第１グループの配線は、前記第１グループの発光部品に電気的に接続され、
前記第２グループの配線は、前記第２グループの発光部品に電気的に接続されることを特徴とする液晶表示装置。
【請求項２】
請求項１に記載された液晶表示装置において、
前記第１グループの配線は、前記部品搭載部の前記複数の発光部品よりも前記延長部側の領域に、隣同士の前記配線が前記部品搭載部の前記幅方向に並び、それぞれの前記配線が前記部品搭載部の前記長さ方向に延びるように形成され、
前記第２グループの配線は、前記部品搭載部の前記複数の発光部品よりも前記延長部側の領域に、隣同士の前記配線が前記部品搭載部の前記幅方向に並び、それぞれの前記配線が前記部品搭載部の前記長さ方向に延びるように形成され、
前記部品搭載部は、前記第１グループの配線全ての前記部品搭載部の前記長さ方向に延びる部分が前記部品搭載部の前記幅方向に並ぶ第１最大並列領域と、前記第２グループの配線全ての前記部品搭載部の前記長さ方向に延びる部分が前記部品搭載部の前記幅方向に並ぶ第２最大並列領域と、を有することを特徴とする液晶表示装置。
【請求項３】
請求項２に記載された液晶表示装置において、
前記複数の発光部品は、前記第１グループの発光部品と前記第２グループの発光部品の間に配置された第３の発光部品をさらに含み、
前記複数の配線は、前記延長部から前記部品搭載部に引き出されて前記第３の発光部品に電気的に接続される第３グループの配線をさらに含むことを特徴とする液晶表示装置。
【請求項４】
請求項１から３のいずれか１項に記載された液晶表示装置において、
前記延長部は、クランク状に形成されていることを特徴とする液晶表示装置。
【請求項５】
請求項１から４のいずれか１項に記載された液晶表示装置において、
前記複数の配線は、前記本体部で、前記延長部が前記本体部に対して偏る前記左右いずれかの方向にずれた領域を通ることを特徴とする液晶表示装置。
【請求項６】
請求項２又は３に記載された液晶表示装置において、
前記フレキシブル配線基板は、単層配線基板であり、
前記複数の発光部品は、それぞれ、アノード電極及びカソード電極を有し、
前記複数の配線の本数は、前記複数の発光部品の個数の２倍であることを特徴とする液晶表示装置。
【請求項７】
請求項２又は３に記載された液晶表示装置において、
前記複数の発光部品は、それぞれ同電位に接続される同電位電極を有し、
前記フレキシブル配線基板は、多層配線基板であり、
前記複数の配線は、立体交差するように形成され、前記延長部を通る配線の１つから前記部品搭載部で分岐する配線群を含み、前記配線群が、前記複数の発光部品の前記同電位電極に接続することを特徴とする液晶表示装置。
【請求項８】
請求項７に記載された液晶表示装置において、
前記複数の発光部品は、それぞれ、アノード電極及びカソード電極を有し、
前記アノード電極及び前記カソード電極の一方が前記同電位電極であり、
前記第１グループの発光部品の個数をｎ１、前記第２グループの発光部品の個数をｎ２とすると、
前記第１最大並列領域に前記部品搭載部の前記幅方向に並ぶ配線の本数は、ｎ１＋１であり、
前記第２最大並列領域に前記部品搭載部の前記幅方向に並ぶ配線の本数は、ｎ２＋１であることを特徴とする液晶表示装置。
【請求項９】
請求項１から８のいずれか１項に記載された液晶表示装置において、
前記部品搭載部の前記延長部との前記接続部は、前記第２グループの発光部品に最も近い前記第１グループの発光部品の１つの前記部品搭載部の前記長さに沿った中心を通る前記幅方向の直線と、前記第１グループの発光部品に最も近い前記第２グループの発光部品の１つの前記部品搭載部の前記長さに沿った中心を通る前記幅方向の直線と、の間に位置することを特徴とする液晶表示装置。
【請求項１０】
請求項３に記載された液晶表示装置において、
前記部品搭載部の前記延長部との前記接続部は、前記第３の発光部品に最も近い前記第１グループの発光部品の１つの前記部品搭載部と前記第３の発光部品との間隔の中間点を通る前記幅方向の直線と、前記第３の発光部品に最も近い前記第２グループの発光部品の１つの前記部品搭載部と前記第３の発光部品との間隔の中間を通る前記幅方向の直線と、の間に位置することを特徴とする液晶表示装置。
【発明の詳細な説明】
【技術分野】
【０００１】
本発明は、液晶表示装置に関する。
【背景技術】
【０００２】
バックライトを備える液晶表示装置は、液晶表示パネル及び発光部品を有しており、液晶表示パネルと外部との電気的接続及び発光部品と外部との電気的接続に、それぞれ、フレキシブル配線基板を使用することが知られている。また、液晶表示パネルと外部との電気的接続用のフレキシブル配線基板と、発光部品と外部との電気的接続用のフレキシブル配線基板を共通化することも知られている（特許文献１）。
【先行技術文献】
【特許文献】
【０００３】
【特許文献１】特開２０１０−６２０１６号公報
【発明の概要】
【発明が解決しようとする課題】
【０００４】
特許文献１には、フレキシブル配線基板の片面のみに配線することが開示されており、フレキシブル配線基板の薄型化には効果があるが、フレキシブル配線基板の発光部品が搭載される部分の幅が大きくなってしまうという問題がある。あるいは、多層配線を使用しても、発光部品の数が増えると、フレキシブル配線基板の幅が大きくなるという問題は解決しない。
【０００５】
本発明は、フレキシブル配線基板の発光部品を搭載する部分の幅を小さくすることを目的とする。
【課題を解決するための手段】
【０００６】
（１）本発明に係る液晶表示装置は、液晶表示パネルと、複数の発光部品及び導光板を含むバックライトと、前記液晶表示パネルに取り付けられて前記複数の発光部品が搭載されたフレキシブル配線基板と、を有し、前記フレキシブル配線基板は、基板と、前記基板の一方の面に並列するように形成された複数の配線と、を含み、前記基板は、前記液晶表示パネルに端部が取り付けられて前記液晶表示パネルから離れる方向に延びる本体部と、前記本体部から前記端部とは反対方向に延びる延長部と、前記延長部から間隔をあけて並んで前記本体部から前記端部とは反対方向に延びるコネクタ部と、前記延長部に接続される部品搭載部と、を含み、前記延長部は屈曲部を介して前記部品搭載部に接続し、前記部品搭載部は、前記延長部との接続部から前記液晶表示パネルの幅方向に沿った左右の両方向に延びる長さと、前記長さに直交する方向の幅を有し、前記複数の発光部品は、前記部品搭載部に搭載され、前記部品搭載部の前記長さに沿った方向に一列で並び、前記配線は、前記延長部及び前記部品搭載部を通るように形成されて前記発光部品に電気的に接続され、前記配線は、前記延長部から前記部品搭載部に引き出されて、前記部品搭載部の前記長さに沿った第１方向に延びる第１グループの配線と、前記延長部から前記第１方向とは反対の第２方向に延びる第２グループの配線と、を含み、前記複数の発光部品は、前記部品搭載部の前記第１方向の側に配置された第１グループの発光部品と、前記部品搭載部の前記第２方向の側に配置された前記第１グループの発光部品の個数と同じ個数の第２グループの発光部品と、を含み、前記第１グループの配線は、前記第１グループの発光部品に電気的に接続され、前記第２グループの配線は、前記第２グループの発光部品に電気的に接続されることを特徴とする。本発明によれば、第１方向の側に配置された第１グループの発光部品と、第２方向の側に配置された第２グループの発光部品とが同じ個数であるため、第１方向又は第２方向のいずれかに配線が偏らないようになっている。そのため、フレキシブル配線基板の発光部品を搭載する部分の幅を小さくすることができる。
【０００７】
（２）（１）に記載された液晶表示装置において、前記第１グループの配線は、前記部品搭載部の前記複数の発光部品よりも前記延長部側の領域に、隣同士の前記配線が前記部品搭載部の前記幅方向に並び、それぞれの前記配線が前記部品搭載部の前記長さ方向に延びるように形成され、前記第２グループの配線は、前記部品搭載部の前記複数の発光部品よりも前記延長部側の領域に、隣同士の前記配線が前記部品搭載部の前記幅方向に並び、それぞれの前記配線が前記部品搭載部の前記長さ方向に延びるように形成され、前記部品搭載部は、前記第１グループの配線全ての前記部品搭載部の前記長さ方向に延びる部分が前記部品搭載部の前記幅方向に並ぶ第１最大並列領域と、前記第２グループの配線全ての前記部品搭載部の前記長さ方向に延びる部分が前記部品搭載部の前記幅方向に並ぶ第２最大並列領域と、を有することを特徴としてもよい。
【０００８】
（３）（２）に記載された液晶表示装置において、前記複数の発光部品は、前記第１グループの発光部品と前記第２グループの発光部品の間に配置された第３の発光部品をさらに含み、前記複数の配線は、前記延長部から前記部品搭載部に引き出されて前記第３の発光部品に電気的に接続される第３グループの配線をさらに含むことを特徴としてもよい。
【０００９】
（４）（１）から（３）のいずれか１項に記載された液晶表示装置において、前記延長部は、クランク状に形成されていることを特徴としてもよい。
【００１０】
（５）（１）から（４）のいずれか１項に記載された液晶表示装置において、前記複数の配線は、前記本体部で、前記延長部が前記本体部に対して偏る前記左右いずれかの方向にずれた領域を通ることを特徴としてもよい。
【００１１】
（６）（２）又は（３）に記載された液晶表示装置において、前記フレキシブル配線基板は、単層配線基板であり、前記複数の発光部品は、それぞれ、アノード電極及びカソード電極を有し、前記複数の配線の本数は、前記複数の発光部品の個数の２倍であることを特徴としてもよい。
【００１２】
（７）（２）又は（３）に記載された液晶表示装置において、前記複数の発光部品は、それぞれ同電位に接続される同電位電極を有し、前記フレキシブル配線基板は、多層配線基板であり、前記複数の配線は、立体交差するように形成され、前記延長部を通る配線の１つから前記部品搭載部で分岐する配線群を含み、前記配線群が、前記複数の発光部品の前記同電位電極に接続することを特徴としてもよい。
【００１３】
（８）（７）に記載された液晶表示装置において、前記複数の発光部品は、それぞれ、アノード電極及びカソード電極を有し、前記アノード電極及び前記カソード電極の一方が前記同電位電極であり、前記第１グループの発光部品の個数をｎ１、前記第２グループの発光部品の個数をｎ２とすると、前記第１最大並列領域に前記部品搭載部の前記幅方向に並ぶ配線の本数は、ｎ１＋１であり、前記第２最大並列領域に前記部品搭載部の前記幅方向に並ぶ配線の本数は、ｎ２＋１であることを特徴としてもよい。
【００１４】
（９）（１）から（８）のいずれか１項に記載された液晶表示装置において、前記部品搭載部の前記延長部との前記接続部は、前記第２グループの発光部品に最も近い前記第１グループの発光部品の１つの前記部品搭載部の前記長さに沿った中心を通る前記幅方向の直線と、前記第１グループの発光部品に最も近い前記第２グループの発光部品の１つの前記部品搭載部の前記長さに沿った中心を通る前記幅方向の直線と、の間に位置することを特徴としてもよい。
【００１５】
（１０）（３）に記載された液晶表示装置において、前記部品搭載部の前記延長部との前記接続部は、前記第３の発光部品に最も近い前記第１グループの発光部品の１つの前記部品搭載部と前記第３の発光部品との間隔の中間点を通る前記幅方向の直線と、前記第３の発光部品に最も近い前記第２グループの発光部品の１つの前記部品搭載部と前記第３の発光部品との間隔の中間を通る前記幅方向の直線と、の間に位置することを特徴としてもよい。
【図面の簡単な説明】
【００１６】
【図１】本発明の第１の実施形態に係る液晶表示装置を示す断面図である。
【図２】フレキシブル配線基板を展開して液晶表示パネルの裏面側を示す図である。
【図３】フレキシブル配線基板の部品搭載部及び屈曲部の詳細を示す図である。
【図４】本発明の第２の実施形態に係る液晶表示装置に使用されるフレキシブル配線基板の一部を示す図である。
【図５】本発明の第３の実施形態に係る液晶表示装置に使用されるフレキシブル配線基板の一部を示す図である。
【図６】本発明の第４の実施形態に係る液晶表示装置に使用されるフレキシブル配線基板の一部を示す図である。
【発明を実施するための形態】
【００１７】
以下、本発明の実施形態について図面を参照して説明する。
【００１８】
［第１の実施形態］
図１は、本発明の第１の実施形態に係る液晶表示装置を示す断面図である。液晶表示装置は、液晶表示パネル１０を有する。液晶表示パネル１０は、一対の基板１２，１４（いずれも例えばガラス基板）を有し、両者間には図示しない液晶が介在する。一方の基板１２は、薄膜トランジスタ、画素電極及び配線などを含むＴＦＴ（Thin Film Transistor）基板（又はアレイ基板）であり、他方の基板１４はカラーフィルタ基板である。液晶表示パネル１０の駆動方式は、IPS（In Plane Switching）方式、TN（Twisted Nematic）方式又はVA（Vertical Alignment）方式などいずれの方式であってもよく、方式に応じた電極及び配線が形成される。
【００１９】
液晶表示パネル１０の一方の基板１２は、他方の基板１４から突出する突出部１６を有している。液晶表示パネル１０（詳しくは突出部１６）には、液晶を駆動するためのドライバ回路を内蔵する集積回路チップ１８が搭載されている。液晶表示パネル１０の一対の基板１２，１４には、それぞれ、偏光板２０が貼り付けられている。
【００２０】
液晶表示装置は、例えば樹脂からなるフレーム２２を有する。フレーム２２に液晶表示パネル１０が取り付けられている。詳しくは、フレーム２２は、枠状の形状を有し、枠の内側のスペースを覆うように枠の一方の面に液晶表示パネル１０が貼り付けられている。その貼り付けには、遮光性の両面テープ２４が使用されている。液晶表示パネル１０の端部を裏面側でフレーム２２が支持している。
【００２１】
液晶表示装置は、バックライト２６を有する。バックライト２６は、導光板２８を含む。導光板２８の表面は、液晶表示パネル１０の裏面に対向している。導光板２８は、液晶表示パネル１０の裏面側で液晶表示パネル１０の端部の下方を避けて配置される。
【００２２】
液晶表示パネル１０と導光板２８の間には光学シート群３０が配置されている。光学シート群３０は、拡散シート及びプリズムシートなどを含む。また、導光板２８の下（光学シート群３０とは反対側）には反射シート３２が配置されている。
【００２３】
バックライト２６は、複数の発光部品３４を含む。発光部品３４は、例えば発光ダイオードである。発光部品３４は、導光板２８に光を導入するための点光源である。点光源からの光が導光板２８で面光源に変換されて液晶表示パネル１０に照射される。発光部品３４は、導光板２８の端面に対向している。
【００２４】
液晶表示装置は、フレキシブル配線基板３６を有する。フレキシブル配線基板３６は、本実施形態では、単層配線基板である。フレキシブル配線基板３６は、液晶表示パネル１０に取り付けられている。図１に示すように、フレキシブル配線基板３６は、屈曲して、液晶表示パネル１０の表示側の面からその裏面に回り込むようになっている。
【００２５】
図２は、フレキシブル配線基板３６を展開して液晶表示パネル１０の裏面側を示す図である。フレキシブル配線基板３６は、基板３８を有する。
【００２６】
基板３８は、本体部４０を有する。本体部４０には図示しない電子部品が搭載される。本体部４０の端部は液晶表示パネル１０（詳しくは突出部１６）に取り付けられて電気的に接続される。本体部４０は、液晶表示パネル１０から離れる方向に延びる。基板３８は、外部との電気的接続を図るためのコネクタ部４２を有する。コネクタ部４２は、本体部４０からその端部とは反対方向（液晶表示パネル１０から離れる方向）に延びる。
【００２７】
基板３８は、延長部４４を有する。延長部４４は、液晶表示パネル１０の幅方向に沿った左右いずれかの方向に偏った位置で、本体部４０から、液晶表示パネル１０に取り付けられる端部とは反対方向に延びる。延長部４４は、液晶表示パネル１０の幅方向に沿った方向にコネクタ部４２から間隔をあけて並ぶ。
【００２８】
延長部４４は、屈曲部４６を有する。屈曲部４６は、延長部４４が本体部４０に対して偏る左右いずれかの方向とは反対方向に屈曲する。延長部４４は、屈曲部４６を含む全体として、クランク状に形成されている。
【００２９】
基板３８は、部品搭載部４８を有する。部品搭載部４８は、液晶表示パネル１０に取り付けられる端部とは反対方向に、コネクタ部４２から間隔をあけて位置する。部品搭載部４８は、液晶表示パネル１０の幅方向に沿って延びる。部品搭載部４８の長さは、液晶表示パネル１０の幅方向に沿った左右方向の長さである。部品搭載部４８の幅は、部品搭載部４８の長さに直交する方向の幅である。部品搭載部４８は、延長部４４に接続される。延長部４４は、本体部４０との接続部との対向位置からずれて部品搭載部４８に接続する。
【００３０】
図３は、フレキシブル配線基板３６の部品搭載部４８及び屈曲部４６の詳細を示す図である。フレキシブル配線基板３６（詳しくは部品搭載部４８）には、上述した複数の発光部品３４が搭載されている。図１に示すように、部品搭載部４８の発光部品３４が搭載される面は、液晶表示パネル１０を向くように配置される。複数の発光部品３４は、図３に示すように、部品搭載部４８の長さに沿った方向に一列で並ぶ。部品搭載部４８の長さは、延長部４４との接続部から液晶表示パネル１０の幅方向に沿った左右の両方向に延びる長さである。複数の発光部品３４は、それぞれ、アノード電極及びカソード電極を有する。
【００３１】
複数の発光部品３４は、部品搭載部４８の第１方向Ｄ１の側に配置された第１グループの発光部品５０を含む。複数の発光部品３４は、部品搭載部４８の第２方向Ｄ２の側に配置された第２グループの発光部品５２を含む。第１グループの発光部品５０と第２グループの発光部品５２は、個数が等しい。
【００３２】
部品搭載部４８の延長部４４との接続部は、直線Ｌ１と直線Ｌ２の間に位置する。直線Ｌ１は、第２グループの発光部品５２に最も近い第１グループの発光部品５０の１つの部品搭載部４８の長さに沿った中心を通る幅方向の直線である。直線Ｌ２は、第１グループの発光部品５０に最も近い第２グループの発光部品５２の１つの部品搭載部４８の長さに沿った中心を通る幅方向の直線である。
【００３３】
基板３８の一方の面には、複数の配線５４が並列するように形成されている。複数の配線５４の本数は、複数の発光部品３４の個数の２倍である。複数の配線５４は、図２に示す本体部４０では、延長部４４が本体部４０に対して偏る左右いずれかの方向にずれた領域（図２の右側）を通る。配線５４は、延長部４４及び部品搭載部４８を通るように形成されている。配線５４は、延長部４４から部品搭載部４８に引き出される。それぞれの配線５４は、いずれかの発光部品３４に電気的に接続される。
【００３４】
複数の配線５４は、部品搭載部４８の長さに沿った第１方向Ｄ１に延びる第１グループの配線５６を含む。第１グループの配線５６は、第１グループの発光部品５０に電気的に接続されている。部品搭載部４８の複数の発光部品３４よりも延長部４４側の領域において、第１グループの配線５６は、隣同士の配線が部品搭載部４８の幅方向に並ぶ。また、部品搭載部４８の複数の発光部品３４よりも延長部４４側の領域において、第１グループの配線５６は、それぞれの配線が部品搭載部４８の長さ方向に延びる。部品搭載部４８の一部の領域（第１最大並列領域５８）では、第１グループの全ての配線５６の一部（部品搭載部４８の長さ方向に延びる部分）が、部品搭載部４８の幅方向に並ぶ。
【００３５】
複数の配線５４は、延長部４４から第１方向Ｄ１とは反対の第２方向Ｄ２に延びる第２グループの配線６０を含む。第２グループの配線６０は、第２グループの発光部品５２に電気的に接続されている。部品搭載部４８の複数の発光部品３４よりも延長部４４側の領域において、第２グループの配線６０は、隣同士の配線が部品搭載部４８の幅方向に並ぶ。また、部品搭載部４８の複数の発光部品３４よりも延長部４４側の領域において、第２グループの配線６０は、それぞれの配線が部品搭載部４８の長さ方向に延びるように形成されている。部品搭載部４８の一部の領域（第２最大並列領域６２）では、第２グループの全ての配線６０の一部（部品搭載部４８の長さ方向に延びる部分）が、部品搭載部４８の幅方向に並ぶ。
【００３６】
本実施形態によれば、第１方向Ｄ１の側に配置された第１グループの発光部品５０と、第２方向Ｄ２の側に配置された第２グループの発光部品５２とが同じ個数であるため、第１方向Ｄ１又は第２方向Ｄ２のいずれかに配線５４の数が偏らないようになっている。そのため、フレキシブル配線基板３６の発光部品３４を搭載する部品搭載部４８の幅を小さくすることができる。
【００３７】
［第２の実施形態］
図４は、本発明の第２の実施形態に係る液晶表示装置に使用されるフレキシブル配線基板の一部を示す図である。このフレキシブル配線基板２３６は、多層配線基板である。複数の配線２５４は、立体交差するように形成されている。図４では、配線図で配線が示されており、電気的に接続されずに交差する位置で、配線２５４が立体交差している。詳しくは、図示しないスルーホールなどを介して、立体的な電気的接続が図られている。配線２５４同士が電気的に接続される位置では、配線２５４は基板２３８の片面だけに形成されている。
【００３８】
複数の発光部品２３４は、それぞれ、アノード電極及びカソード電極を有する。複数の発光部品２３４は、それぞれ同電位に接続される同電位電極２６４を有する。アノード電極及びカソード電極の一方（例えばアノード電極）が同電位電極２６４である。
【００３９】
複数の配線２５４は、延長部２４４を通る配線の１つから部品搭載部２４８で分岐する配線群２６６を含む。分岐は、基板２３８の片面のみでなされている。分岐した配線群２６６は、複数の発光部品２３４の同電位電極２６４に接続する。
【００４０】
部品搭載部２４８には、ｎ１個の第１グループの発光部品２５０が搭載され、ｎ２個の第２グループの発光部品２５２が搭載されている。第１最大並列領域２５８に、部品搭載部２４８の幅方向に並ぶ第１グループの配線２５６の本数は、ｎ１＋１である。第２最大並列領域２６２に、部品搭載部２４８の幅方向に並ぶ第２グループの配線２６０の本数は、ｎ２＋１である。その他の詳細は、上記第１の実施形態で説明した内容が該当する。
【００４１】
［第３の実施形態］
図５は、本発明の第３の実施形態に係る液晶表示装置に使用されるフレキシブル配線基板の一部を示す図である。
【００４２】
複数の発光部品３３４は、第１グループの発光部品３５０と第２グループの発光部品３５２の間に配置された第３の発光部品３６６を含む。すなわち、上述した第１の実施形態及び第２の実施形態では、複数の発光部品３４の個数は偶数であったが、本実施形態では複数の発光部品３３４の個数は奇数である。複数の配線３５４は、延長部３４４から部品搭載部３４８に引き出されて第３の発光部品３６６に電気的に接続される第３グループの配線３６８を含む。その他の詳細は、上記第１の実施形態で説明した内容が該当する。
【００４３】
部品搭載部３４８の延長部３４４との接続部は、直線Ｌ３１と直線Ｌ３２の間に位置する。直線Ｌ３１は、第３の発光部品３６６に最も近い第１グループの発光部品３５０の１つの部品搭載部と第３の発光部品３６６との間隔の中間点を通って幅方向に延びる。直線Ｌ３２は、第３の発光部品３６６に最も近い第２グループの発光部品３５２の１つの部品搭載部と第３の発光部品３６６との間隔の中間を通って幅方向に延びる。
【００４４】
本実施形態であっても、第１方向Ｄ１の側に配置された第１グループの発光部品３５０と、第２方向Ｄ２の側に配置された第２グループの発光部品３５２とが同じ個数であるため、第１方向Ｄ１又は第２方向Ｄ２のいずれかに配線３５４の数が偏らないようになっている。そのため、フレキシブル配線基板３３６の発光部品３３４を搭載する部品搭載部３４８の幅を小さくすることができる。
【００４５】
［第４の実施形態］
図６は、本発明の第４の実施形態に係る液晶表示装置に使用されるフレキシブル配線基板の一部を示す図である。
【００４６】
複数の発光部品４３４は、第１グループの発光部品４５０と第２グループの発光部品４５２の間に配置された第３の発光部品４６６を含む。複数の配線４５４は、延長部４４４から部品搭載部４４８に引き出されて第３の発光部品４６６に電気的に接続される第３グループの配線４６８を含む。
【００４７】
本実施形態では、フレキシブル配線基板４３６は、多層配線基板であり、その詳細は第２の実施形態で説明した内容が該当する。本実施形態では、複数の発光部品４３４の個数は奇数であり、その詳細は第３の実施形態で説明した内容が該当する。その他の詳細は、上記第１の実施形態で説明した内容が該当する。
【００４８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４９】
１０  液晶表示パネル、１２  基板、１４  基板、１６  突出部、１８  集積回路チップ、２０  偏光板、２２  フレーム、２４  両面テープ、２６  バックライト、２８  導光板、３０  光学シート群、３２  反射シート、３４  発光部品、３６  フレキシブル配線基板、３８  基板、４０  本体部、４２  コネクタ部、４４  延長部、４６  屈曲部、４８  部品搭載部、５０  第１グループの発光部品、５２  第２グループの発光部品、５４  配線、５６  第１グループの配線、５８  第１最大並列領域、６０  第２グループの配線、６２  第２最大並列領域、２３４  発光部品、２３６  フレキシブル配線基板、２３８  基板、２４４  延長部、２４８  部品搭載部、２５０  第１グループの発光部品、２５２  第２グループの発光部品、２５４  配線、２５６  第１グループの配線、２５８  第１最大並列領域、２６０  第２グループの配線、２６２  第２最大並列領域、２６４  同電位電極、２６６  配線群、３３４  発光部品、３３６  フレキシブル配線基板、３４４  延長部、３４８  部品搭載部、３５０  第１グループの発光部品、３５２  第２グループの発光部品、３５４  配線、３６６  第３の発光部品、３６８  第３グループの配線、４３４  複数の発光部品、４３６  フレキシブル配線基板、４４４  延長部、４４８  部品搭載部、４５０  第１グループの発光部品、４５２  第２グループの発光部品、４５４  複数の配線、４６６  第３の発光部品、４６８  第３グループの配線。
【図１】
2013097087.tif 000003
【図２】
2013097087.tif 000004
【図３】
2013097087.tif 000005
【図４】
2013097087.tif 000006
【図５】
2013097087.tif 000007
【図６】
2013097087.tif 000008